(57)【要約】 【課題】異なる光情報記録媒体に対して情報記録及び／又は再生を行う際に、誤検出を抑制できる光ピックアップ装置及びそれに用いる補正素子を提供する。 【解決手段】補正素子ＳＥによって通過する光束の光強度分布を変更しているため、超解像によるスポットのサイドローブの増大を抑えて、異なる種類の光ディスクに対して高精度な情報の記録及び／又は再生を可能としている。【選択図】図４
2008226402.tif 000002
【特許請求の範囲】
【請求項１】
波長λ１の光束を出射する第１光源と、波長λ２（λ１＜λ２）の光束を出射する第２光源と、対物レンズとを有し、前記第１光源からの光束を、前記対物レンズを介して保護基板厚ｔ１の第１光情報記録媒体の情報記録面に集光させることにより、その情報記録面に対して情報の記録及び／又は再生が可能となっており、また前記第２光源からの光束を、前記対物レンズを介して保護基板厚ｔ２の第２光情報記録媒体の情報記録面に集光させることにより、その情報記録面に対して情報の記録及び／又は再生が可能となっている光ピックアップ装置であって、
前記対物レンズは、光軸を含む第１の光学領域と、前記第１の光学領域の周囲に形成された第２の光学領域とを有し、前記第１の光学領域と前記第２の光学領域とを通過した前記波長λ１の光束は、前記第１光情報記録媒体の情報記録面に集光され、前記第１の領域を通過した前記波長λ２の光束は、前記第２光情報記録媒体の情報記録面に集光され、
前記第１の光学領域に入射する前記波長λ１の光束の光利用効率分布において光利用効率が最も低い点の光強度を増大させ、且つ前記第２の光学領域に入射する前記波長λ１の光束の光利用効率分布において光利用効率が最も高い点の光強度を低下させる補正素子を、前記第１光源と前記対物レンズとの間に配置したことを特徴とする光ピックアップ装置。
【請求項２】
前記対物レンズの第１の光学領域には、光路差付与構造が形成されていることを特徴とする請求項１に記載の光ピックアップ装置。
【請求項３】
前記第１の光学領域を通過した光の利用効率は、光軸から直交方向に向かうにつれて漸次低減し、前記第２の光学領域を通過した光の利用効率は、直交方向に向かうにつれて漸次低減し、前記第２の光学領域に隣接する前記第１の光学領域を通過した光の利用効率は、前記第１の光学領域に隣接する前記第２の光学領域を通過した光の利用効率より低いことを特徴とする請求項１又は２に記載の光ピックアップ装置。
【請求項４】
前記補正素子は、前記波長λ１の光束及び前記波長λ２の光束が通過する光学面が波打った形状を有し、且つ光軸から直交方向に向かう間に少なくとも２つの変曲点を有することを特徴とする請求項１〜３のいずれかに記載の光ピックアップ装置。
【請求項５】
前記補正素子は、前記対物レンズの光利用効率が高い領域を透過する光束が、前記補正素子を透過する領域において光源側に凹形状となることを特徴とする請求項４のいずれかに記載の光ピックアップ装置。
【請求項６】
前記補正素子は、前記対物レンズの光利用効率が低い領域を透過する光束が、前記補正素子を透過する領域において光源側に凸形状となることを特徴とする請求項４又は５のいずれかに記載の光ピックアップ装置。
【請求項７】
前記補正素子は、光学面が光源側に凹形状となる領域と光学面が光源側に凸形状となる領域が隣接して配置されていることを特徴とする請求項４〜６のいずれかに記載の光ピックアップ装置。
【請求項８】
前記補正素子は、少なくとも光軸付近の光学面の形状が、光源側に凹形状となることを特徴とする請求項４〜７のいずれかに記載の光ピックアップ装置。
【請求項９】
前記補正素子に平行光束が入射した際に前記補正素子から出射する光束が略平行光束となることを特徴とする請求項４〜８のいずれかに記載の光ピックアップ装置。
【請求項１０】
前記補正素子は、光軸方向の厚さが一様であることを特徴とする請求項４〜９のいずれかに記載の光ピックアップ装置。
【請求項１１】
前記補正素子は光路差付与構造を有することを特徴とする請求項１〜１０のいずれかに記載の光ピックアップ装置。
【請求項１２】
請求項１〜１１のいずれかに記載の光ピックアップ装置に用いることを特徴とする補正素子。
【発明の詳細な説明】
【技術分野】
【０００１】
本発明は、異なる種類の光情報記録媒体（光ディスクともいう）に対して情報の記録及び／又は再生を行える光ピックアップ装置及びそれに用いる補正素子に関する。 
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。
【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、そのコンパクト化を更に推進する事が重要である。
【０００４】
ここで、高密度光ディスク、ＤＶＤやＣＤの何れに対しても互換性を維持しながら適切に情報を記録／再生できるようにする方法として、高密度光ディスク用の光学系とＤＶＤ用の光学系とを情報を記録／再生する光ディスクの記録密度に応じて選択的に切り替える方法が考えられるが、複数の光学系が必要となるので、小型化に不利であり、またコストが増大する。
【０００５】
従って、光ピックアップ装置の構成を簡素化し、低コスト化を図るためには、互換性を有する光ピックアップ装置においても、高密度光ディスク用の光学系とＤＶＤ／ＣＤ用の光学系とを共通化して、光ピックアップ装置を構成する光学部品点数を極力減らすのが好ましい。そして、光ディスクに対向して配置される対物レンズを共通化し、更にこの対物レンズを単レンズ構成とすることが光ピックアップ装置の構成の簡素化、低コスト化に最も有利となる。尚、記録／再生波長が互いに異なる複数種類の光ディスクに対して共通な対物レンズとして、球面収差の波長依存性を有する回折構造をその表面に形成し、かかる回折構造の波長依存性を利用して、記録／再生波長や、保護層厚さの違いによる球面収差を補正する対物レンズが知られている。
【０００６】
ここで、特許文献１には、高密度光ディスクとＤＶＤに対して互換可能に情報の記録及び／又は再生を行える単レンズ構成の対物レンズが開示されている。
【特許文献１】特開２００４−７９１４６号公報
【発明の開示】
【発明が解決しようとする課題】
【０００７】
ところで、特許文献１に開示された対物レンズは、青紫色レーザ光束に対して２次回折光を発生させ、ＤＶＤ用の赤色レーザ光束に対して１次回折光を発生させるような回折構造を有し、かかる回折構造の回折作用により高密度光ディスクとＤＶＤの保護層厚さの違いによる球面収差を補正するものである。
【０００８】
しかるに、一般的に回折構造は、光軸直交方向に向かうにつれてピッチが小さくなると共に、対物レンズの曲率半径も小さくなるので、それに応じて回折効率が低下するという問題がある。すると、高密度光ディスクとＤＶＤ／ＣＤに対して互換可能となる対物レンズでは、高密度光ディスクとＤＶＤ／ＣＤとで共用する中央の光学領域を通過した光束の光強度が、高密度光ディスク専用の光学領域を通過した光束の光強度より低下して、いわゆる超解像という現象に近い現象が発生する。超解像によれば、スポットプロファイルにおけるサイドローブ（図１参照）が強くなり、特に高密度光ディスクの記録／再生を行う際に、隣接するトラックからのクロストークが増大し問題となってしまう。
【０００９】
本発明は、かかる従来技術の問題点に鑑みてなされたものであり、異なる光情報記録媒体に対して情報記録及び／又は再生を行う際に、誤検出を抑制できる光ピックアップ装置及びそれに用いる補正素子を提供することを目的とする。
【課題を解決するための手段】
【００１０】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 
【００１１】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。 
【００１２】
請求項１に記載の光ピックアップ装置は、波長λ１（λ１＜λ２）の光束を出射する第１光源と、波長λ２の光束を出射する第２光源と、対物レンズとを有し、前記第１光源からの光束を、前記対物レンズを介して保護基板厚ｔ１の第１光情報記録媒体の情報記録面に集光させることにより、その情報記録面に対して情報の記録及び／又は再生が可能となっており、また前記第２光源からの光束を、前記対物レンズを介して保護基板厚ｔ２の第２光情報記録媒体の情報記録面に集光させることにより、その情報記録面に対して情報の記録及び／又は再生が可能となっている光ピックアップ装置であって、
前記対物レンズは、光軸を含む第１の光学領域と、前記第１の光学領域の周囲に形成された第２の光学領域とを有し、前記第１の光学領域と前記第２の光学領域とを通過した前記波長λ１の光束は、前記第１光情報記録媒体の情報記録面に集光され、前記第１の領域を通過した前記波長λ２の光束は、前記第２光情報記録媒体の情報記録面に集光され、
前記第１の光学領域に入射する前記波長λ１の光束の光利用効率分布において光利用効率が最も低い点の光強度を増大させ、且つ前記第２の光学領域に入射する前記波長λ１の光束の光利用効率分布において光利用効率が最も高い点の光強度を低下させる補正素子を、前記第１光源と前記対物レンズとの間に配置したことを特徴とする。
【００１３】
本発明の原理を、図を用いて説明する。図２は、一例にかかる対物レンズの断面を模式的に示す図である。図２において、光軸を含む第１の光学領域Ｒ１は、波長λ１の光束に対しては０次回折光の効率が最も高くなるような回折光を発生させ、波長λ２の光束に対しては１次回折光の効率が最も高くなるような回折光を発生させる光路差付与構造ＤＯＥを有する。これにより保護基板厚の差に起因する球面収差を補正できる。又、その周囲の第２の光学領域Ｒ２は、屈折面のみからなる。尚、第２の光学領域を波長λ２の光束が通過しないように、適切な絞りが設けられると好ましい。
【００１４】
また前記対物レンズのそれぞれの領域は、例えば光学領域Ｒ１が波長λ1に対して３次回折光、波長λ2の光束に対しては２次の回折光、を用いて互換を行っても良いし、その他波長λ1に対して２次回折光、波長λ2の光束に対しては１次の回折光、といった別の回折光を用いて互換することも可能である。
【００１５】
更には前記対物レンズのそれぞれの領域は、例えば光学領域Ｒ２が光路差を付与する構造を持っていても構わない。この光路差付与構造によって、前記対物レンズをプラスチックレンズで構成した場合に、温度変化時や、使用するレーザの波長が変動する際に発生する収差を低減することが可能となったり、色収差を低減することができたりするので、望ましい構成となる。また、対物レンズが、第１の光学領域においても第２の光学領域においても光路差付与構造を有している場合、第１の光学領域においては光路差付与構造のピッチが、光軸から離れるにつれて段々小さくなり、第２の光学領域においても光路差付与構造のピッチが、光軸から離れるにつれて段々小さくなり、第１の光学領域と第２の光学領域の境においては、第１の光学領域の光路差付与構造のピッチよりも第２の光学領域の光路差付与構造のピッチの方が大きい、構造である場合に、本発明の効果がより顕著となる。尚、光路差付与構造のピッチとは、光路差付与構造の段差と段差の間の光軸直交方向の長さである。また、本実施形態では、対物レンズを第１の光学領域と第２の光学領域の２領域としているが、３種の光情報記録媒体の互換に対応させ、光軸を含む第１の光学領域を通過する光束は、３種の光情報記録媒体の全ての記録及び／又は再生に用いられ、その周辺の第２の光学領域を通過する光束は、２種の光情報記録媒体の記録及び／又は再生に用いられ、更に周辺の第３の光学領域を通過する光束は、１種の光情報記録媒体の記録及び／又は再生に用いられるような対物レンズに対しても、対物レンズで光利用効率の低い領域において光強度を強め、対物レンズで光利用効率の高い領域において光強度を弱めるような本発明の補正素子を適用できる。
【００１６】
図３は、対物レンズを通過する光の利用効率を示すグラフであり、縦軸に光利用効率、横軸に光軸からの距離をとって示している。ここで、第１の光学領域を通過した光の利用効率は、光軸から直交方向に向かうにつれて漸次低減し、第２の光学領域を通過した光の利用効率は、同様に直交方向に向かうにつれて漸次低減するが、第２の光学領域Ｒ２に隣接する第１の光学領域Ｒ１を通過した光（Ａ）の利用効率は、第１の光学領域Ｒ１に隣接する第２の光学領域Ｒ２を通過した光（Ｂ）の利用効率より低くなっている。これにより超解像が発生し、図１に示すサイドローブＳＲが増大し、特に高密度光ディスクの記録／再生を行う際に、隣接するトラックからのクロストークが増大する恐れがある。
【００１７】
そこで、本発明においては、図４に示すように、対物レンズＯＢＪの光源側に補正素子ＳＥを設けている。一例として補正素子ＳＥは、光軸方向の厚さが一様であり、波長λ１の光束が通過する光学面が波打った形状を有し、且つ光軸から直交方向に向かう間に少なくとも２つの変曲点（ここではＣとＤの間，ＤとＥの間、及びＥの外側に合計３つの変曲点）を有している。補正素子全体としては、実施例のように少なくとも３つの変曲点を有していることが好ましい。補正素子ＳＥが、このような形状を有しているので、第１の光学領域Ｒ１に入射する波長λ１の光束の光利用効率分布において光利用効率が最も低い点（図３のＡ）の光強度を増大させ、且つ第２の光学領域Ｒ２に入射する波長λ１の光束の光利用効率分布において光利用効率が最も高い点（図３のＢ）の光強度を低下させることができ、それによりサイドローブの増大を抑えて誤検出を抑制できる。より具体的には、補正素子ＳＥに平行光を入射させると、光軸周辺の領域を通過した光束の分布は粗となり、対物レンズＯＢＪの第１の光学領域Ｒ１の光軸直交方向外縁近傍に対応する位置を通過した光束の分布は密となり、第２の光学領域Ｒ２の光軸直交方向内縁近傍に対応する位置を通過した光束の分布は粗となっている。補正素子ＳＥにより変更された光の利用効率を図３に一点鎖線で示す。尚、光利用効率が高くなれば光強度は大きくなり、光利用効率が低くなれば光強度は小さくなる。
【００１８】
請求項２に記載の光ピックアップ装置は、請求項１に記載の発明において、前記対物レンズの第１の光学領域には、光路差付与構造が形成されていることを特徴とする。光路差付与構造としては、回折構造の他、レンズを透過した波面の位相差を利用して収差補正を行うような段差形状、ＮＰＳなどがある。
【００１９】
請求項３に記載の光ピックアップ装置は、請求項１又は２に記載の発明において、前記第１の光学領域を通過した光の利用効率は、光軸から直交方向に向かうにつれて漸次低減し、前記第２の光学領域を通過した光の利用効率は、直交方向に向かうにつれて漸次低減し、前記第２の光学領域に隣接する前記第１の光学領域を通過した光の利用効率は、前記第１の光学領域に隣接する前記第２の光学領域を通過した光の利用効率より低いことを特徴とする。
【００２０】
請求項４に記載の光ピックアップ装置は、請求項１〜３のいずれかに記載の発明において、前記補正素子は、前記波長λ１の光束及び前記波長λ２の光束が通過する光学面が波打った形状を有し、且つ光軸から直交方向に向かう間に少なくとも２つの変曲点を有することを特徴とする。
【００２１】
前記少なくとも２つの変曲点を持つことで、図３に示すような光利用効率に発生する段差を低減することが可能となり、サイドローブの問題を低減することが可能となるので望ましい。
【００２２】
請求項５に記載の光ピックアップ装置は、請求項４に記載の発明において、前記補正素子が、前記対物レンズの光利用効率が高い領域を透過する光束が、前記補正素子を透過する領域において（例えば図４のＣ，Ｅ付近）光源側に凹形状となることを特徴とする。
【００２３】
前記対物レンズの光利用効率が高い領域を透過する光束が、前記補正素子を透過する領域の光学面（例えば図４のＣ，Ｅ付近）付近で前記光学面を光源側に凹形状とすることで、前記凹形状の光学面を透過した光束の分布が粗となり、対物レンズの光利用効率が高い領域の光強度を下げて光利用効率の低い領域との差を低減することが可能となり、図３に示すような光利用効率に発生する段差を低減することが可能となり、サイドローブの問題を低減することが可能となるので望ましい。
【００２４】
請求項６に記載の光ピックアップ装置は、請求項４又は５に記載の発明において、前記補正素子が、前記対物レンズの光利用効率が低い領域を透過する光束が、前記補正素子を透過する領域において（例えば図４のＤ付近）光源側に凸形状となることを特徴とする。
【００２５】
前記対物レンズの光利用効率が低い領域を透過する光束が、前記補正素子を透過する領域の光学面（例えば図４のＤ付近）付近で前記光学面を光源側に凸形状とすることで、前記凸形状の光学面を透過した光束の分布が密となり、対物レンズの光利用効率が低い領域の光強度を上げて効率の高い領域との差を低減することが可能となり、図３に示すような光利用効率に発生する段差を低減することが可能となり、サイドローブの問題を低減することが可能となるので望ましい。
【００２６】
請求項７に記載の光ピックアップ装置は、請求項４〜６のいずれかに記載の発明において、前記補正素子が、光学面が光源側に凹形状となる領域（例えば図４のＣ，Ｅ付近）と光学面が光源側に凸形状となる領域（例えば図４のＤ付近）が隣接して配置されていることを特徴とする。
【００２７】
前記補正素子が、光学面が光源側に凹形状となる領域と光学面が光源側に凸形状となる領域が隣接して配置されていることで、前記凹形状となる領域の光学面を透過した光束の分布が粗となり、前記凸形状となる領域の光学面を透過した光束の分布が密となり、対物レンズの光利用効率が高い領域と低い領域の光強度をそれぞれ下げ／上げすることが出来て光利用効率の高い領域と光利用効率の低い領域の差を低減することが可能となり、図３に示すような光利用効率に発生する段差を低減することが可能となり、サイドローブの問題を低減することが可能となるので望ましい。
【００２８】
請求項８に記載の光ピックアップ装置は、請求項４〜７のいずれかに記載の発明において、前記補正素子が、少なくとも光軸付近（例えば図４のＣ付近）の光学面の形状が、光源側に凹形状となることを特徴とする。
【００２９】
高密度光ディスクとＤＶＤ／ＣＤに対して互換可能となる対物レンズでは、一般的に光軸付近の領域が、光利用効率が最も高い領域となることが多い。前記補正素子の光軸付近の光学面を光源側に凹形状とすることで、前記補正素子の光軸付近の光学面を透過した光束の分布が粗となり、対物レンズの光利用効率が高いい中心領域の光強度を下げて、光利用効率の低い、特に周辺領域との差を低減することが可能となり、レンズ中心から周辺にかけて生じる光利用効率の分布の差を低減することが可能となり、光利用効率の分布により生じるスポット径の増大を防ぐことが可能となるので望ましい。
【００３０】
請求項９に記載の光ピックアップ装置は、請求項４〜８のいずれかに記載の発明において、前記補正素子に平行光束が入射した際に前記補正素子から出射する光束が略平行光束となることを特徴とする。
【００３１】
前記補正素子に平行光束が入射した際に前記補正素子から出射する光束が略平行光束となることによって、前記高密度光ディスクとＤＶＤ／ＣＤに対して互換可能となる対物レンズには、平行光束が入射することとなるので、特にレンズ製造の際、前記補正素子と前記対物レンズ個々を別の工程で評価し、管理することが可能となるので、望ましい構成である。
【００３２】
ここで、略平行光束とは、前記補正素子の一方の最周辺部分を透過した光束の光線軸と、それと光軸を介して反対側に当る最周辺部分を透過した光束の光線軸と、のそれぞれの光線軸が光軸となす角度の差が、０〜２度、望ましくは０〜０．５度の範囲をいう。
【００３３】
請求項１０に記載の光ピックアップ装置は、請求項４〜９のいずれかに記載の発明において、前記補正素子は、光軸方向の厚さが一様であることを特徴とする。
【００３４】
請求項１１に記載の光ピックアップ装置は、請求項１〜３のいずれかに記載の発明において、前記補正素子は光路差付与構造を有することを特徴とする。例えば補正素子に回折構造を設けて、回折光を発生させ、第１の光学領域Ｒ１に入射する光束の光利用効率分布のうち最も低い点（図３のＡ）の光強度を増大させ、且つ第２の光学領域Ｒ２に入射する光束の光利用効率分布のうち最も高い点（図３のＢ）の光強度を低下させることもできる。  前記光路差付与構造の効果は、これだけではなく、例えば前記光路差付与構造によって、対物レンズで発生する色収差を補正する機能を持つことも可能となる。
【００３５】
請求項１２に記載の補正素子は、請求項１〜１１のいずれかに記載の光ピックアップ装置に用いることを特徴とする。
【発明の効果】
【００３６】
本発明によれば、異なる光情報記録媒体に対して情報記録及び／又は再生を行う際に、誤検出を抑制できる光ピックアップ装置及びそれに用いる補正素子を提供することができる。
【発明を実施するための最良の形態】
【００３７】
以下、本発明の実施の形態について図面を用いて説明する。図５は、高密度光ディスクとしてのＢＤと、ＤＶＤとに互換可能に情報の記録及び／又は再生を行える、本実施の形態にかかる光ピックアップ装置の概略図である。本実施の形態では、ＢＤに対して情報の記録／再生を行う場合に発光され波長λ１＝４０７ｎｍの青紫色レーザ光束（第１光束）を射出する第１の発光点ＥＰ１（第１光源）と、ＤＶＤに対して情報の記録／再生を行う場合に発光され波長λ２＝６５５ｎｍのレーザ光束（第２光束）を射出する第２の発光点ＥＰ２（第２光源）と、ＢＤの情報記録面ＲＬ１からの反射光束を受光する第１の受光部ＤＳ１と、ＤＶＤの情報記録面ＲＬ２からの反射光束を受光する第２の受光部ＤＳ２と、プリズムＰＳとから構成されたレーザモジュールＬＭが設けられている。又、対物レンズＯＢＪは、光軸を含む第１の光学領域Ｒ１は、波長λ１の光束に対しては０次回折光を発生させ、波長λ２の光束に対しては１次回折光を発生させる回折構造ＤＯＥを有する（図２参照）。又、その周囲の第２の光学領域Ｒ２は、屈折面のみからなる。補正素子ＳＥは、図４に示すものと同様な形状である。コリメータＣＯＬの光学面には、対物レンズＯＢＪの第２の光学領域に対応してダイクロイック膜が被覆してあり、波長λ１の光束は透過させるが、波長λ２の光束は反射するようになっている。
【００３８】
光ピックアップ装置ＰＵ１において、ＢＤに対して情報の記録／再生を行う場合には、レーザモジュールＬＭの第１の発光点ＥＰ１を発光させる。第１の発光点ＥＰ１から射出された発散光束は、図５において実線でその光線経路を描いたように、コリメータＣＯＬにより平行光束に変換され、補正素子ＳＥを通過して、対物レンズ部ＯＢＪに平行光の状態で入射した後、第１の光学領域及び第２の光学領域を通過した光束は、ＢＤの保護基板ＰＬ１を介して情報記録面ＲＬ１上に形成されるスポットとなる。対物レンズ部ＯＢＪは、アクチュエータＡＣ１によって駆動されフォーカシングやトラッキングが行われる。
【００３９】
情報記録面ＲＬ１で情報ピットにより変調された反射光束は、再び対物レンズＯＢＪ、補正素子ＳＥ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＢＤに記録された情報を読み取ることができる。ＢＤの記録・再生時の温度変化により生じる球面収差や、２層ディスク使用による球面収差はコリメータＣＯＬを駆動させて補正することができる。
【００４０】
光ピックアップ装置ＰＵ１において、ＤＶＤに対して情報の記録／再生を行う場合には、レーザモジュールＬＭの第２の発光点ＥＰ２を発光させる。第２の発光点ＥＰ２から射出された発散光束は、図５において二点鎖線でその光線経路を描いたように、コリメータＣＯＬにより平行光束に変換され、補正素子ＳＥを通過し、対物レンズＯＢＪの第１の光学領域のみに入射する。対物レンズＯＢＪを通過した光束は、ＤＶＤの保護基板ＰＬ２を介して情報記録面ＲＬ２上に形成されるスポットとなる。対物レンズＯＢＪは、アクチュエータＡＣ１によって駆動されフォーカシングやトラッキングが行われる。 
【００４１】
情報記録面ＲＬ２で情報ピットにより変調された反射光束は、再び対物レンズＯＢＪ、補正素子ＳＥ及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＤＶＤに記録された情報を読み取ることができる。
【００４２】
本実施の形態によれば、補正素子ＳＥによって通過する光束の光強度分布を変更しているため、超解像によるスポットのサイドローブの増大を抑えて、異なる種類の光ディスクに対して高精度な情報の記録及び／又は再生を可能としている。
【００４３】
以上、本発明を実施の形態を参照して説明してきたが、本発明は上記実施の形態に限定して解釈されるべきではなく、適宜変更・改良が可能であることはもちろんである。例えば、補正素子を波打たせた形状にする代わりに、回折構造を形成しても良い。又、本発明の光ピックアップ装置は、高密度光ディスクとしてのＨＤやＣＤも含めて２種類以上の光ディスクの互換使用を実現しても良い。
【図面の簡単な説明】
【００４４】
【図１】スポットプロファイルの例を示す図であり、（ａ）はＣＤ使用時のものであり、（ｂ）はＤＶＤ使用時のものである。
【図２】対物レンズＯＢＪの概略断面図である。
【図３】対物レンズを通過する光の利用効率を示す図である。
【図４】本発明にかかる補正素子と対物レンズの概略断面図である。
【図５】光ピックアップ装置ＰＵ１の概略構成を示す図である。
【符号の説明】
【００４５】
ＡＣ１ ２軸アクチュエータ
ＣＯＬ コリメータ
ＤＯＥ 回折構造
ＤＳ１ 第１の受光部
ＤＳ２ 第２の受光部
ＥＰ１ 第１の発光点
ＥＰ２ 第２の発光点
ＬＭ レーザモジュール
ＯＢＪ 対物レンズ
ＰＬ１ 保護基板
ＰＬ２ 保護基板
ＰＵ１ 光ピックアップ装置
Ｒ１ 第１の光学領域
Ｒ２ 第２の光学領域
ＲＬ１ 情報記録面
ＲＬ２ 情報記録面
ＳＥ 補正素子
ＳＲ サイドローブ
【図１】
2008226402.tif 000003
【図２】
2008226402.tif 000004
【図３】
2008226402.tif 000005
【図４】
2008226402.tif 000006
【図５】
2008226402.tif 000007